(57)【特許請求の範囲】
【請求項１】
消化器官内壁に係留させる係留部と、
前記係留部と機械的に接続され生体情報を取得するセンサと、
前記係留部及び前記センサを内蔵した、消化液で溶解するカプセルと、
を備え、
前記係留部は、
開放された一端で消化器官内壁の一部を把持するクリップと、
前記クリップの他端と懸吊部で接続されている基板と、
前記基板に接続されている螺旋バネと、
前記螺旋バネの先端に接続され、前記クリップの一部を包囲する円筒部と、
前記基板及び前記螺旋バネを包覆し、消化器官が分泌する消化液で溶解する樹脂を用いて前記螺旋バネの伸張動作を規制する固定部と、
を備え、
前記樹脂が溶解して生じる前記螺旋バネの伸張動作に応じて前記円筒部が前記クリップの前記他端から前記一端に向けて移動することによって、前記クリップの前記一端が閉じ、消化器官内壁の一部を把持することを特徴とする、
消化器内観察装置。
【請求項２】
消化器官内壁に係留させる係留部と、
前記係留部と機械的に接続され生体情報を取得するセンサと、
前記係留部及び前記センサを内蔵した、消化液で溶解するカプセルと、
を備え、
前記係留部は、
開放された一端で消化器官内壁の一部を把持するクリップと、
開き動作と連動して前記クリップの前記一端を狭める応力付与部と、
前記クリップの少なくとも一部を包覆し、消化器官が分泌する消化液で溶解する樹脂を用いて前記応力付与部の開き動作を規制する固定部と、
を備え、
前記樹脂が溶解して生じる前記応力付与部の開き動作に応じて前記クリップの前記一端が閉じ、消化器官内壁の一部を把持することを特徴とする、
消化器内観察装置。
【請求項３】
消化器官内壁に係留させる係留部と、
前記係留部と機械的に接続され生体情報を取得するセンサと、
前記係留部及び前記センサを内蔵した、消化液で溶解するカプセルと、
を備え、
前記係留部は、
開放された一端で消化器官内壁の一部を把持するクリップと、
前記クリップの他端と接続されている基板と、
一端が前記基板に固定されかつ他端が開放され、前記クリップの前記他端を包囲し、熱エネルギーで伸張する形状記憶合金製の螺旋バネと、
を備え、
熱エネルギーで生じる前記螺旋バネの伸張動作に応じて前記螺旋バネで包囲されている前記クリップの領域を広くすることによって、前記クリップの前記一端を閉じ、消化器官内壁の一部を把持することを特徴とする、
消化器内観察装置。
【請求項４】
消化器官内壁に係留させる係留部と、
前記係留部と機械的に接続され生体情報を取得するセンサと、
前記係留部及び前記センサを内蔵した、消化液で溶解するカプセルと、
を備え、
前記係留部は、
開放された一端で消化器官内壁の一部を把持するクリップと、
前記クリップの他端を包囲し、消化液で収縮する円筒部と、
前記クリップの前記他端と接続され、前記クリップの前記一端から前記他端への方向への前記円筒部の移動を規制する基板と、
を備え、
前記円筒部が消化液で収縮する収縮動作に応じて前記円筒部で包囲されている前記クリップの前記他端の開き角を小さくすることによって、前記クリップの前記一端を閉じ、消化器官内壁の一部を把持することを特徴とする、
消化器内観察装置。
【発明の詳細な説明】
【技術分野】
【０００１】
本発明は、消化器管内観察装置に関する。
【背景技術】
【０００２】
近年、被検者の消化器管内を観察し生体情報を収集する方法として、撮像機能とセンサ機能を有したカプセル型内視鏡が用いられている。カプセル型内視鏡は、被検者が嚥下した後、被検者の生体から自然排出されるまでの間、通過した消化器官内をその蠕動運動に伴って移動し、撮像機能を用いて順次消化器官内を撮像する構成を有する。
【０００３】
関連技術に係るカプセル型内視鏡では、被検者によって飲み込まれ、被検者の消化器内の移動による観察期間に収集した生体情報は、無線通信などの無線機能を介した送信手段や当該カプセル型内視鏡が有するメモリにより取得することができる。観察後は、取得した生体情報をディスプレイに表示し、又は解析装置で診断を行うことができる（例えば特許文献１を参照。）。
【先行技術文献】
【特許文献】
【０００４】
【特許文献１】特表２００８−５０３３１０号公報
【発明の概要】
【発明が解決しようとする課題】
【０００５】
また、関連技術に係るカプセル型内視鏡では、体外の遠隔制御システムによって任意の位置に移動、回転及び停止できるように永久磁石が搭載されている。外部からの磁力の磁気作用により、カプセル型内視鏡に搭載された永久磁石を磁気誘導することで、被検体の生体データを正確に取得することができる。
【０００６】
しかし、体外の外部装置からの磁気誘導による遠隔制御システムでは、被検者の消化器管内を長時間に渡り観察する場合、常に被検者の近傍に磁気誘導を行う外部装置を配置させておく必要があり、被検者の行動を拘束するという自由度の低下が生じる。また、磁気誘導を行う外部装置が被検者の近傍から一定距離よりも遠ざかる場合、カプセル型内視鏡は、磁界作用を受けることができず消化器官の蠕動に伴いその部位を観察することができない問題が生じる。
【０００７】
被検者の体内に生体情報取得装置を埋設することで生体電気信号を取得するインプラントの関連技術が示されている。本関連技術では、生体情報取得装置が埋設されているため取り外れることがなく、被検者の日常生活においても水や外部の障害物と接触することを防ぐことができる。
【０００８】
しかし、本関連技術では、被検者の体内に埋設する生体情報取得装置であるため、生体情報取得装置を埋設するための切開口の侵襲部を大きく確保しなければならないため被検者の肉体的な負担も発生する。
【０００９】
前記課題を解決するために、本発明は、生体情報を取得する消化器内観察装置を観察対象とする消化器内壁に係留させることを目的とする。
【課題を解決するための手段】
【００１０】
上記目的を達成するため、本発明では、消化器内観察装置を消化器官内壁に係留させるための係留部を持たせる。
【００１１】
具体的には、本発明に係る消化器内観察装置は、
消化器官内壁に係留させる係留部と、
前記係留部と機械的に接続され生体情報を取得するセンサと、
前記係留部及び前記センサを内蔵したカプセルと、を備える。
【００１２】
本発明に係る消化器内観察装置では、
前記係留部は、
消化器官内壁の一部を把持するクリップを有してもよい。
【００１３】
本発明に係る消化器内観察装置では、
前記係留部は、
消化器官が分泌する消化液で溶解する樹脂を用いて伸張動作を規制した螺旋バネ及び前記螺旋バネの先端部に配置された円筒状の押出し部をさらに有し、
前記クリップは、
前記押出し部の中空部分に配置され、
前記樹脂が溶解して生じる前記螺旋バネの伸張動作に応じて前記押出し部が押し出されて前記クリップを閉じるように締め付けることによって、消化器官内壁の一部を把持してもよい。
【００１４】
本発明に係る消化器内観察装置では、
前記係留部は、
熱エネルギーで伸張する形状記憶合金製の螺旋バネ及び前記形状記憶合金製の螺旋バネの先端部に配置された円筒状の押出し部をさらに有し、
前記クリップは、
前記押出し部の中空部分に配置され、
前記形状記憶合金製の螺旋バネの熱エネルギーで生じる伸張動作に応じて前記押出し部が押し出されて前記クリップを閉じるように締め付けることによって、消化器官内壁の一部を把持してもよい。
【００１５】
本発明に係る消化器内観察装置では、
前記係留部は、
前記消化器官が分泌する消化液で収縮する収縮樹脂を円筒状に形成した円筒部をさらに有し、
前記クリップは、
前記押出し部の中空部分に配置され、
前記円筒部が消化液で収縮する収縮動作に応じて前記クリップを閉じるように締め付けることによって、消化器官内壁の一部を把持してもよい。
【００１６】
本発明に係る消化器内観察装置では、
前記係留部は、
被膜内部に生じるガスにより少なくとも一方向に膨張するバルーンをさらに有し、
前記バルーンの膨張によって生じる張力で前記バルーン端を消化器官内壁の一部に押圧して係留してもよい。
【００１７】
なお、上記各発明は、可能な限り組み合わせることができる。
【発明の効果】
【００１８】
本発明によれば、生体情報を取得する消化器内観察装置を観察対象とする消化器内壁に係留させることができる。
【図面の簡単な説明】
【００１９】
【図１】実施形態１に係る消化器内観察装置の構成図の一例を示す。
【図２】実施形態２に係る消化器内観察装置の構成図の一例を示す。
【図３】実施形態３に係る消化器内観察装置の構成図の一例を示す。
【図４】実施形態３に係る消化器内観察装置の構成図の一例を示す。
【図５】実施形態４に係る消化器内観察装置の構成図の一例を示す。
【図６】実施形態５に係る消化器内観察装置の構成図の一例を示す。
【図７】実施形態６に係る消化器内観察装置の構成図の一例を示す。
【図８】実施形態７に係る消化器内観察装置の構成図の一例を示す。
【図９】実施形態８に係る消化器内観察装置の構成図の一例を示す。
【図１０】実施形態９に係る消化器内観察装置の構成図の一例を示す。
【図１１】実施形態１０に係る消化器内観察装置の構成図の一例を示す。
【図１２】実施形態１１に係る消化器内観察装置の構成図の一例を示す。
【図１３】実施形態１２に係る消化器内観察装置の構成図の一例を示す。
【図１４】実施形態１３に係る消化器内観察装置の構成図の一例を示す。
【図１５】実施形態１４に係る消化器内観察装置の構成図の一例を示す。
【図１６】実施形態１５に係る消化器内観察装置の構成図の一例を示す。
【図１７】実施形態１６に係る消化器内観察装置の構成図の一例を示す。
【図１８】実施形態１６に係る消化器内観察装置の構成図の一例を示す。
【図１９】実施形態１６に係る消化器内観察装置の構成図の一例を示す。
【図２０】実施形態１６に係る消化器内観察装置の構成図の一例を示す。
【図２１】実施形態１６に係る消化器内観察装置の構成図の一例を示す。
【図２２】実施形態１６に係る消化器内観察装置の構成図の一例を示す。
【発明を実施するための形態】
【００２０】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２１】
（実施形態１）
本実施形態に係る消化器内観察装置の概略構成図を図１に示す。消化器内観察装置は、クリップ１１と、押出し部１２と、固定部１３と、伸縮部１４と、懸吊部１５と、基板１６と、を備え、それぞれ係留部として機能する。以下に説明する消化器内観察装置は、生体情報を取得するセンサ（不図示）、上記の係留部及びセンサを内蔵するカプセル（不図示）、並びにセンサ及び消化器内観察装置の動作で必要なバッテリー（不図示）を備える。バッテリーは、動作モードで生体情報を取得し、生体情報の取得を停止している場合は消費電力を抑えるスリープモードに移行してもよい。ここで、カプセル（不図示）は、溶解性の外殻としてもよい。センサとしては、消化器内を撮影するカメラ、消化器内の酸度及びアルカリ度を検出するＰＨセンサ、体動や消化器の蠕動及び心臓の鼓動を検出する振動センサ、心電を検出する心拍センサ、体温を検出する温度センサ等が例示できる。
【００２２】
また、以下に説明する消化器内壁に係留したクリップ１１は、センサと接続されることで、消化器及び消化器周辺の臓器の活動を電気信号で生体情報を取得し、当該生体情報を取得するための電極として機能してもよい。基板１６は、磁極を有した磁性体で形成されてもよい。以後の実施形態でも同様である。
【００２３】
以下に本実施形態に係る消化器内観察装置の構成例を図１を用いて具体的に示す。消化器内観察装置が備える係留部において、クリップ１１は、ワイヤ状の懸吊部１５で基板１６と接続する。伸縮部１４は、螺旋バネで形成され、筒状の押出し部１２を螺旋バネの先端部に配置する。固定部１３は、消化液で溶解する樹脂で形成され、伸縮部１４を圧縮した状態で基板１６及び懸吊部１５とともに包覆する。
【００２４】
被検者によって嚥下された消化器内観察装置は、消化液で樹脂製のカプセルが溶解する。ワイヤ状の懸吊部１５で基板１６と接続された伸縮部１４は、固定部１３の溶解を契機に圧縮状態から解放され、伸縮部１４が伸張し押出し部１２を押し出し、クリップ１１を閉じるように締め付ける。クリップ１１の先端が閉じると、クリップ１１の先端が消化器内壁の一部を把持し、係留部を消化器管内に係留させることができる。なお、以後の実施形態では係留部を中心に説明し、特にことわらない限り、消化器内観察装置は、センサ、カプセル、バッテリ等を有するものとする。
【００２５】
（実施形態２）
図２は、本実施形態に係る消化器内観察装置の概略構成図の一例を示す。消化器内観察装置は、固定部１３と、一対に配置されたクリップ１７と、応力付与部１８と、基板１６と、を備え、それぞれ係留部の一部として機能する。
【００２６】
以下に本実施形態に係る消化器内観察装置の構成例を図２を用いて具体的に示す。消化器内観察装置が備える係留部において、一対のクリップ１７は、開閉可能な状態で基板１６に固定されている。固定部１３は、消化液で溶解する樹脂で形成され、応力付与部１８を圧縮した状態でクリップ１７とともに包覆する。
【００２７】
固定部１３で包覆した応力付与部１８は、固定部１３の溶解を契機に圧縮状態から解放され、応力付与部１８の開き動作と連動してクリップ１７の先端が狭まり、クリップ１７が消化器内壁の一部を把持し、係留部を消化器管内に係留させることができる。
【００２８】
（実施形態３）
図３及び４は、本実施形態に係る消化器内観察装置の概略構成図の一例を示す。消化器内観察装置は、クリップ１１と、伸縮部１４と、基板１６と、を備え、それぞれ係留部の一部として機能する。伸縮部１４は、形状記憶合金の螺旋バネで形成され、図３に示すようにクリップ１１の短径方向の最も突出した長さ未満の位置まで覆うように配置される。
【００２９】
以下に本実施形態に係る消化器内観察装置の構成例を図３を用いて具体的に示す。消化器内観察装置が備える係留部において、クリップ１１は、基板１６で固定されている。形状記憶合金製の螺旋バネである伸縮部１４は、折りたたまれており、被検者の体温に応じて予め定められた温度以上に達することを契機に伸張する。
【００３０】
クリップ１１の先端は、伸縮部１４の伸張動作に応じて徐々に狭まる。伸縮部１４の先端部が押し出されることで、クリップ１１の先端が閉じるように締め付けることによって消化器内壁の一部を把持し、係留部を消化器管内に係留させることができる。
【００３１】
また、図４において、形状記憶合金製の螺旋バネである伸縮部１４は、クリップ１１の短径方向の最も突出した長さを超える位置まで覆うように配置される。図４に示す伸縮部１４の形状は、クリップ１１の先端部に沿って漸次内径が狭まる円錐状であってもよい。伸縮部１４は、伸張されており、被検者の体温に応じて予め定められた温度以上に達することを契機に収縮する。クリップ１１は、伸縮部１４の収縮動作に応じて徐々に狭まる。伸縮部１４の先端部が引き入れられることで、クリップ１１の先端が閉じるように締め付けることによって消化器内壁の一部を把持し、係留部を消化器管内に係留させることができる。
【００３２】
（実施形態４）
図５は、本実施形態に係る消化器内観察装置の概略構成図の一例を示す。消化器内観察装置は、クリップ１１と、基板１６と、締結部１９と、を備え、それぞれ係留部の一部として機能する。消化器内観察装置が備える係留部において、クリップ１１は基板１６で固定され、締結部１９は消化器官が分泌する消化液により収縮する収縮樹脂で円筒状に形成される。クリップ１１は、先端部分が開いた状態のまま円筒状に形成された収縮樹脂の締結部１９で包覆する。
【００３３】
被検者によって嚥下された消化器内観察装置は、消化器内部でカプセルが割れ、消化液で締結部１９が収縮する。締結部１９で包覆したクリップ１１は、締結部１９の収縮運動に連動して狭まり、クリップ１１の先端が閉じるように締め付けることによって係留部を消化器管内に係留させることができる。
【００３４】
（実施形態５）
図６は、本実施形態に係る消化器内観察装置の概略構成図の一例を示す。消化器内観察装置は、バルーン２１と、第１の保持部２２と、第２の保持部２３と、開閉弁２４と、を備え、それぞれ係留部の一部として機能する。消化器内観察装置が備える係留部において、第１の保持部２２では炭酸水素ナトリウムを封入し、第２の保持部２３では酢酸を封入する。互いに隣接した第１の保持部２２及び第２の保持部２３間には、電気動作により開閉する開閉弁２４が設けられている。
【００３５】
開閉弁２４が開いた際、バルーン２１内に配置した第１の保持部２２及び第２の保持部２３の炭酸水素ナトリウム及び酢酸が混合され、中和反応により二酸化炭素が発生する。発生した二酸化炭素は、バルーン２１を少なくとも１方向に膨張させる。バルーン２１が膨張によってつっかえ棒となり、消化器内壁に係留部を係留させることができる。ここで、開閉弁２４の開閉動作は、遠隔操作による無線通信、体温を利用する形状記憶合金の形状回復、タイマー等で行ってもよい。また、ここでは、炭酸水素ナトリウムと酢酸の反応を利用して二酸化炭素を発生させたが、他の組み合わせで二酸化炭素又は人体に無害なガスを発生させてもよい。
【００３６】
（実施形態６）
図７は、本実施形態に係る消化器内観察装置の概略構成図の一例を示す。消化器内観察装置は、固定部１３と、中心軸２５で固定したゼンマイバネ２６と、ゼンマイバネ２６と接続された動力伝達線２７と、ローラー２８と、旋回軸２９を中心に可動する縫い付け針３０と、を備え、それぞれ係留部の一部として機能する。
【００３７】
以下に本実施形態に係る消化器内観察装置の構成例を図７を用いて具体的に示す。消化器内観察装置が備える係留部において、固定部１３は、消化液で溶解する樹脂で形成され、ゼンマイバネ２６の巻き上げ又は巻き戻しを係止する。
【００３８】
被検者によって嚥下された消化器内観察装置は、消化器内部でカプセルが割れ、消化液で固定部１３が溶解する。固定部１３で係止したされたゼンマイバネ２６は、樹脂である固定部１３の溶解により係止状態から解放される。動力伝達線２７は、当該ゼンマイバネ２６の巻き上げ又は巻き戻し運動と連動し、ローラー２８を介して旋回軸２９を可動させる。縫い付け針３０は、旋回軸２９の可動にともない旋回軸２９を中心に旋回し、消化器内壁に縫い付けられることで係留部を消化器管内に係留させることができる。
【００３９】
（実施形態７）
図８は、本実施形態に係る消化器内観察装置の概略構成図の一例を示す。消化器内観察装置は、接着剤３１と、検出ユニット３２と、を備え、それぞれ係留部の一部として機能する。検出ユニット３２は、上述したセンサ、バッテリを備えることで被検者の生体情報を取得することができる。接着剤３１は、消化液の酸で溶解する溶解性の接着剤を用いてもよい。
【００４０】
以下に本実施形態に係る消化器内観察装置の構成例を図８を用いて具体的に示す。消化器内観察装置が備える係留部において、検出ユニット３２の一面には、層を形成するように接着剤３１が被覆されている。検出ユニット３２は、消化液による溶解を契機に接着剤３１が消化器内壁の一部に接着固定することで、係留部を消化器管内に係留させることができる。
【００４１】
（実施形態８）
図９は、本実施形態に係る消化器内観察装置の概略構成図の一例を示す。溶解性のカプセルで包覆した消化器内観察装置は、伸縮部１４と、基板１６と、を備え、それぞれ係留部の一部として機能する。
【００４２】
以下に本実施形態に係る消化器内観察装置の構成例を図９を用いて具体的に示す。消化器内観察装置が備える係留部において、伸縮部１４は、圧縮された状態で基板１６に固定され、ステントを用いて形成されてもよい。
【００４３】
伸縮部１４は、カプセルの溶解を契機に圧縮状態から解放され、少なくとも一方向に開き動作を始める。開き動作により開いた伸縮部１４の両端が支点となり、消化器内壁の一部を把持し、係留部を消化器管内に係留させることができる。
【００４４】
（実施形態９）
図１０は、本実施形態に係る消化器内観察装置の概略構成図の一例を示す。消化器内観察装置は、固定部１３と、伸縮部１４と、基板１６と、を備え、それぞれ係留部の一部として機能する。
【００４５】
以下に本実施形態に係る消化器内観察装置の構成例を図１０を用いて具体的に示す。消化器内観察装置が備える係留部において、伸縮部１４は、先端をブレード形状に加工した螺旋バネで形成され、基板１６に固定されている。固定部１３は、消化液で溶解する樹脂で形成され、伸縮部１４を圧縮した状態、かつ、伸縮部１４の巻き方向と反対方向に加圧したまま包覆する。
【００４６】
固定部１３で包覆した伸縮部１４は、固定部１３の溶解を契機に圧縮及び加圧状態から解放され、巻き方向に生じる回転動作と伸張動作とを利用して、ブレード形状の先端が消化器内壁にねじ込んでいく。ねじ込まれた伸縮部１４は、消化器官内壁に係留される。
【００４７】
（実施形態１０）
図１１は、本実施形態に係る消化器内観察装置の概略構成図の一例を示す。消化器内観察装置は、伸縮部１４と、基板１６と、２か所に配置したマグネット３４と、を備え、それぞれ係留部の一部として機能する。
【００４８】
以下に本実施形態に係る消化器内観察装置の構成例を図１１を用いて具体的に示す。消化器内観察装置が備える係留部において、伸縮部１４は、先端をブレード形状に加工した螺旋バネで形成され、基板１６に固定されている。マグネット３４は、基板１６に固定され、被検者の体外からの磁気に反応し、伸縮部１４の巻き方向に回転することができる。
【００４９】
基板１６に固定された２つのマグネット３４は、被検者の体外からの巻き方向に回転する磁気を受けることで、体外からの磁気の回転方向と同一の方向に回転運動が発生する。基板１６に固定された伸縮部１４は、基板１６を介してマグネット３４による回転運動と連動してブレード形状の先端が消化器内壁にねじ込んでいく。ねじ込まれた伸縮部１４は、消化器官内壁に係留される。
【００５０】
（実施形態１１）
図１２は、本実施形態に係る消化器内観察装置の概略構成図の一例を示す。消化器内観察装置は、基板１６と、クリップ３５と、アクチュエータ３６と、を備え、それぞれ係留部の一部として機能する。
【００５１】
以下に本実施形態に係る消化器内観察装置の構成例を図１２を用いて具体的に示す。消化器内観察装置が備える係留部において、一対のクリップ３５は、開閉可能な状態でアクチュエータ３６に固定されている。アクチュエータ３６は、外部からの信号の受信を契機に一対のクリップ３５の先端が狭まり、消化器内壁の一部を把持し、係留部を消化器管内に係留させることができる。
【００５２】
（実施形態１２）
図１３は、本実施形態に係る消化器内観察装置の概略構成図の一例を示す。消化器内観察装置は、伸縮部１４と、把持部材３７と、ヘッド部３８と、樹脂係止部３９と、躯体部４０と、を備え、それぞれ係留部の一部として機能する。
【００５３】
以下に本実施形態に係る消化器内観察装置の構成例を図１３を用いて具体的に示す。消化器内観察装置が備える係留部において、伸縮部１４の終端部を固定した躯体部４０は、伸縮部１４の先端部と接続されたヘッド部３８を収容する。ヘッド部３８は、躯体部４０の開口部から突出するように配置され、Ｕ字形又はＣ字形形状の把持部材３７がヘッド部３８の突出部に仮止めされている。躯体部４０の開口部は、ヘッド部３８の直径と略同等の大きさで設けられている。樹脂係止部３９は、消化液で溶解する樹脂で形成され、圧縮された状態の伸縮部１４の先端部と、当該伸縮部１４と接続されたヘッド部３８と、の間を係止する。
【００５４】
被検者の消化器内壁を押圧したヘッド部３８は、樹脂係止部３９が消化液で溶解するとともに、接続された伸縮部１４と連動して躯体部４０内部に引き下がる。ヘッド部３８が引き下がる際、ヘッド部３８の先端は吸盤の機能を持つ。ヘッド部３８の先端に消化器内壁の一部が吸引されたまま引き込まれる。把持部材３７は、躯体部４０の開口部に止められ、引き込んだ消化器内壁の一部を把持し、係留部を消化器管内に係留させることができる。
【００５５】
（実施形態１３）
図１４は、本実施形態に係る消化器内観察装置の概略構成図の一例を示す。消化器内観察装置は、固定部１３と、伸縮部１４と、懸吊部１５と、基板１６と、躯体部４０と、吸引部３３と、を備え、それぞれ係留部の一部として機能する。
【００５６】
以下に本実施形態に係る消化器内観察装置の構成例を図１４を用いて具体的に示す。消化器内観察装置が備える係留部において、基板１６は、伸縮部１４を収容する躯体部４０を当該伸縮部１４とともに接続固定する。伸縮部１４の先端部と接続された吸引部３３は、躯体部４０の開口部分より大きい直径を有し、ワイヤ状の懸吊部１５で基板１６と接続される。固定部１３は、消化液で溶解する樹脂で形成され、吸引部３３を懸吊部１５でけん引した状態のまま基板１６、懸吊部１５、躯体部４０とともに包覆する。
【００５７】
被検者によって嚥下された消化器内観察装置は、消化液で固定部１３が溶解する。ワイヤ状の懸吊部１５で基板１６と接続された伸縮部１４は、固定部１３の溶解を契機に固定状態から解放され、被検者の消化器内壁を押圧した吸引部３３をけん引する。けん引した吸引部３３は、接続された伸縮部１４と連動して躯体部４０内部に引き下がる。吸引部３３は、引き下がる際、当該吸引部３３は消化器内壁の一部を吸着し、吸着したままの消化器内壁の一部を吸引して把持し、係留部を消化器管内に係留させることができる。
【００５８】
（実施形態１４）
図１５は、本実施形態に係る消化器内観察装置の概略構成図の一例を示す。消化器内観察装置は、固定部１３と、一対の伸縮部１４と、基板１６と、一対の指示板２０と、クリップ４１と、を備え、それぞれ係留部の一部として機能する。
【００５９】
以下に本実施形態に係る消化器内観察装置の構成例を図１５を用いて具体的に示す。消化器内観察装置が備える係留部において、基板１６は、それぞれ平行して配置するように一対の指示板２０を固定する。指示板２０は、クリップ４１を両端から支持する伸縮部１４が固定されている。伸縮部１４は、固定部１３が溶解した際、伸張するように圧縮した状態でクリップ４１を支持する。固定部１３は、消化液で溶解する樹脂で形成され、クリップ４１の内側を満たすように配置されている。
【００６０】
被検者によって嚥下された消化器内観察装置は、消化液で固定部１３が溶解する。クリップ４１を支持する一対の伸縮部１４は、固定部１３の溶解を契機に圧縮状態から解放され、伸張することでクリップ４１を閉じるように締め付けることによって、クリップ１１の先端が消化器内壁の一部を把持し、係留部を消化器管内に係留させることができる。
【００６１】
（実施形態１５）
図１６は、本実施形態に係る消化器内観察装置の概略構成図の一例を示す。消化器内観察装置は、基板１６と、接着剤保持部４２と、押し付け部材４３と、を備え、それぞれ係留部の一部として機能する。
【００６２】
以下に本実施形態に係る消化器内観察装置の構成例を図１６を用いて具体的に示す。消化器内観察装置が備える係留部において、基板１６は、磁性体の押し付け部材４３が固定されている。押し付け部材４３は、接着剤保持部４２を押し付けて破裂するように傾斜面が設けられている。接着剤保持部４２は、押し付け部材４３の傾斜面の押し付けによる破裂が生じないように基板１６上に配置されている。
【００６３】
磁性体の押し付け部材４３は、被検者の体外からの磁気誘導を受けることで接着剤保持部４２に対し押し付け力が発生する。押し付け部材４３の押し付け力により破裂した接着剤保持部４２の接着剤は、消化器内に流出し近接した消化器内壁の一部を把持し、係留部を消化器管内に係留させることができる。
【００６４】
（実施形態１６）
図１７〜２２は、消化器内壁に係留した消化器内観察装置の解除方法の一例を示し、概略構成図を用いてそれぞれ以下に説明する。具体的には、図１７において、消化器内観察装置１０は、基板１６が磁石を有している場合、被検者の体外から磁石と同一又は反対の磁極のマグネット４４を用いて生じる磁気誘導により、消化器内壁の係留から解除することができる。
【００６５】
例えば、基板１６内の磁石の磁極が体外側の磁石と同一の場合、消化器内観察装置１０は、磁石同士で生じる反発力を利用して消化器内壁の係留から解除することができる。基板１６内の磁石の磁極が体外側の磁石と対向した磁極を有する場合、消化器内観察装置１０は、磁石同士で生じる吸引力を利用して消化器内壁の係留から引き付けるように移動させて解除することができる。
【００６６】
図１８に示す消化器内観察装置の解除方法を以下に説明する。基板１６及び伸縮部１４の接続部分に予め接着剤４２を付着させておくことで、消化器内観察装置は、伸縮部１４及び接着剤４２により消化器内壁に係留している。この場合、被検者の血液又は消化液で溶解する接着剤４２を用いることで、一定時間経過後接着剤４２の溶解により、消化器内壁の係留から解除することができる。
【００６７】
図１９に示す消化器内観察装置の解除方法を以下に説明する。伸縮部１４が磁極を有した磁性体の場合、消化器内観察装置は、予め備えたバッテリーからの電流を用いて伸縮部１４と同一の磁極を生じさせ、磁極の反発力により、消化器内壁の係留から解除することができる。
【００６８】
図２０に示す消化器内観察装置の解除方法を以下に説明する。消化器内観察装置は、基板１６及び伸縮部１４の接続部分に、予め電気動作により開閉する開閉弁４７を間に設けて一体化した溶液保持部４５及び溶液保持部４６を装着させておく。炭酸水素ナトリウムを封入した溶液保持部４５と、酢酸を封入した溶液保持部４６との間に設けた開閉弁４７を開くことで、溶液保持部４５及び４６の酸水素ナトリウム及び酢酸が混合され、中和反応により二酸化炭素が発生する。発生した二酸化炭素は、消化器内壁の係留部分に間隙を作り解除を容易にすることができる。
【００６９】
図２１に示す消化器内観察装置の解除方法を以下に説明する。基板１６及び伸縮部１４の接続部分に予め接着剤４８を付着させておくことで、消化器内観察装置は、伸縮部１４及び接着剤４８により消化器内壁に係留している。この場合、一定温度で溶解する接着剤４２を用いることで、一定温度到達後の接着剤４２の溶解により、消化器内壁の係留から解除を容易にすることができる。
【００７０】
図２２に示す消化器内観察装置の解除方法を以下に説明する。消化器内観察装置が備える係留部において、伸縮部１４は、先端をブレード形状に加工した螺旋バネで形成され、マグネット３４を有した基板１６に固定されている。ブレード形状の先端がねじ込むことで消化器内壁の一部を把持した伸縮部１４を解除するためにマグネット３４は、被検者の体外からのマグネット４９による磁気誘導を用いて伸縮部１４の巻き方向に回転することで解除することができる。
【００７１】
以上の実施形態では、消化器官が分泌する消化液で溶解する樹脂を用いてクリップ等が消化器官内壁の一部を把持する契機を作り出したが、無線による遠隔操作、体温で形状が元に戻る形状記憶合金、タイマ動作を契機としてもよい。
【００７２】
以上、本実施形態に係る消化器内観察装置における生体情報を入手するための通信手段は、安価で消費電力が少ない近距離無線通信手段によるＮＦＣ、ＺＩＧＢＥＥ、ｂｌｕｅｔｏｏｔｈが例示できる。また、取得した生体情報を記憶するための通信手段は、消化器内観察装置内にメモリを備えて、必要時に生体情報を入手してもよい。
【産業上の利用可能性】
【００７３】
本発明に係る消化器内観察装置は、医療機器産業に適用することができる。
【符号の説明】
【００７４】
１０：消化器内観察装置
１１、１７、３５、４１：クリップ
１２：押出し部
１３：固定部
１４：伸縮部
１５：懸吊糸
１６：基板
１８：応力付与部
１９：締結部
２０：指示板
２１：バルーン
２２、４５：溶液保持部
２３、４６：溶液保持部
２４、４７：開閉弁
２５：中心軸
２６：ゼンマイバネ
２７：動力伝達線
２８：ローラー
２９：旋回軸
３０：縫い付け針
３１、４２、４８：接着剤
３２：検出ユニット
３３：吸引部
３４、４４、４９：マグネット
３６：アクチュエータ
３７：把持部材
３８：ヘッド部
３９：樹脂係止部
４０：躯体部
４３：押し付け部材
【図１】
0006526519.tif 000002
【図２】
0006526519.tif 000003
【図３】
0006526519.tif 000004
【図４】
0006526519.tif 000005
【図５】
0006526519.tif 000006
【図６】
0006526519.tif 000007
【図７】
0006526519.tif 000008
【図８】
0006526519.tif 000009
【図９】
0006526519.tif 000010
【図１０】
0006526519.tif 000011
【図１１】
0006526519.tif 000012
【図１２】
0006526519.tif 000013
【図１３】
0006526519.tif 000014
【図１４】
0006526519.tif 000015
【図１５】
0006526519.tif 000016
【図１６】
0006526519.tif 000017
【図１７】
0006526519.tif 000018
【図１８】
0006526519.tif 000019
【図１９】
0006526519.tif 000020
【図２０】
0006526519.tif 000021
【図２１】
0006526519.tif 000022
【図２２】
0006526519.tif 000023